(57)【要約】【課題】患者が治療説明を把握しやすく、各保険組合からの照会に対して患者自身が正確に回答することができ、保険金の不正請求を防ぐことができる接骨院用治療説明シート、接骨院用治療説明シート作成システム、接骨院用治療説明シート作成プログラムおよびそのプログラムを記録したコンピュータ読み取り可能な記録媒体を提供する。【解決手段】患者情報表示欄１１に、患者情報を、痛む場所表示欄１２に、人体を模した絵柄により、ケガの位置を表示する。痛みの説明表示欄１３に、ケガの位置ごとに、痛めたときの状況と痛みの内容と治療指導の内容とを表示する。治療説明表示欄１４に、ケガに対して実施した治療の内容とその説明とを、医療機器説明表示欄１５に、ケガの治療に使用した医療機器の説明を表示する。フリー表示欄１６に、その他の情報を表示する。【選択図】図１
2014153988.tif 000002
【特許請求の範囲】
【請求項１】
ケガをした患者に、前記ケガに対する治療に関する説明を記載して手渡すための接骨院用治療説明シートであって、
患者情報を表示する患者情報表示欄と、
人体を模した絵柄により、前記ケガの位置を表示可能に設けられた痛む場所表示欄と、
前記ケガの位置ごとに、痛めたときの状況と痛みの内容と治療指導の内容とを表示可能に設けられた痛みの説明表示欄と、
前記ケガに対して実施した治療の内容とその説明とを表示可能に設けられた治療説明表示欄と、
前記ケガの治療に使用した医療機器の説明を表示可能に設けられた医療機器説明表示欄と、
他の情報を表示可能に設けられたフリー表示欄とを、
有することを特徴とする接骨院用治療説明シート。
【請求項２】
請求項１記載の接骨院用治療説明シートを作成するための接骨院用治療説明シート作成システムであって、
前記患者から聞き取った前記患者情報と前記ケガの位置と前記痛めたときの状況と前記痛みの内容とを入力するための聞取入力手段と、
前記聞取入力手段で入力した各情報に基づいて、前記ケガに対する治療指導の内容とを入力する診断入力手段と、
あらかじめ実施可能な治療の内容およびその説明と、治療に使用する医療機器の説明とを記憶しておく治療記憶手段と、
前記聞取入力手段と前記診断入力手段とで入力した各情報に基づいて、前記治療記憶手段に記憶した情報から、前記ケガに対して実施した治療の内容およびその説明と、前記ケガの治療に使用した医療機器の説明とを選択する治療選択手段と、
前記他の情報を入力するフリー入力手段と、
前記聞取入力手段と前記診断入力手段とフリー入力手段とで入力した各情報、および治療選択手段で選択した各情報を、前記接骨院用治療説明シートの各情報に対応する前記患者情報表示欄、前記痛む場所表示欄、前記痛みの説明表示欄、前記治療説明表示欄、前記医療機器説明表示欄、および前記フリー表示欄に入力した状態で表示する表示手段と、
前記表示手段で各情報を表示された前記接骨院用治療説明シートを印刷する印刷手段とを、
有することを特徴とする接骨院用治療説明シート作成システム。
【請求項３】
請求項１記載の接骨院用治療説明シートを作成するための接骨院用治療説明シート作成プログラムであって、
コンピュータを、
前記患者から聞き取った前記患者情報と前記ケガの位置と前記痛めたときの状況と前記痛みの内容とを入力するための聞取入力手段、
前記聞取入力手段で入力した各情報に基づいて、前記ケガに対する治療指導の内容とを入力する診断入力手段、
あらかじめ実施可能な治療の内容およびその説明と、治療に使用する医療機器の説明とを記憶しておく治療記憶手段、
前記聞取入力手段と前記診断入力手段とで入力した各情報に基づいて、前記治療記憶手段に記憶した情報から、前記ケガに対して実施した治療の内容およびその説明と、前記ケガの治療に使用した医療機器の説明とを選択する治療選択手段、
前記他の情報を入力するフリー入力手段、
前記聞取入力手段と前記診断入力手段とフリー入力手段とで入力した各情報、および治療選択手段で選択した各情報を、前記接骨院用治療説明シートの各情報に対応する前記患者情報表示欄、前記痛む場所表示欄、前記痛みの説明表示欄、前記治療説明表示欄、前記医療機器説明表示欄、および前記フリー表示欄に入力した状態で表示する表示手段、
前記表示手段で各情報を表示された前記接骨院用治療説明シートを印刷する印刷手段、
として機能させるための接骨院用治療説明シート作成プログラム。
【請求項４】
請求項１記載の接骨院用治療説明シートを作成するための接骨院用治療説明シート作成プログラムを記録したコンピュータ読み取り可能な記録媒体であって、
コンピュータを、
前記患者から聞き取った前記患者情報と前記ケガの位置と前記痛めたときの状況と前記痛みの内容とを入力するための聞取入力手段、
前記聞取入力手段で入力した各情報に基づいて、前記ケガに対する治療指導の内容とを入力する診断入力手段、
あらかじめ実施可能な治療の内容およびその説明と、治療に使用する医療機器の説明とを記憶しておく治療記憶手段、
前記聞取入力手段と前記診断入力手段とで入力した各情報に基づいて、前記治療記憶手段に記憶した情報から、前記ケガに対して実施した治療の内容およびその説明と、前記ケガの治療に使用した医療機器の説明とを選択する治療選択手段、
前記他の情報を入力するフリー入力手段、
前記聞取入力手段と前記診断入力手段とフリー入力手段とで入力した各情報、および治療選択手段で選択した各情報を、前記接骨院用治療説明シートの各情報に対応する前記患者情報表示欄、前記痛む場所表示欄、前記痛みの説明表示欄、前記治療説明表示欄、前記医療機器説明表示欄、および前記フリー表示欄に入力した状態で表示する表示手段、
前記表示手段で各情報を表示された前記接骨院用治療説明シートを印刷する印刷手段、
として機能させるための接骨院用治療説明シート作成プログラムを記録したコンピュータ読み取り可能な記録媒体。
【発明の詳細な説明】
【技術分野】
【０００１】
本発明は、接骨院用治療説明シート、接骨院用治療説明シート作成システム、接骨院用治療説明シート作成プログラムおよびそのプログラムを記録したコンピュータ読み取り可能な記録媒体に関する。
【背景技術】
【０００２】
近年、一般の病院において、パソコンなどのコンピュータにより作成して保存しておくことができる電子カルテシステムの導入が進んでいる（例えば、特許文献１参照）。
【先行技術文献】
【特許文献】
【０００３】
【特許文献１】特開２０００−３２５３１４号公報
【発明の概要】
【発明が解決しようとする課題】
【０００４】
しかしながら、接骨院では、一般の病院のようなカルテシステムがないため、患者に対する治療説明が口頭で行われることが多く、患者にとってわかりづらいという課題があった。また、各保険組合からの照会に対して、患者自身が正確に回答することができないという課題もあった。このため、健康保険や任意保険、自賠責保険などに対する保険金の不正請求が発生しやすいという課題があった。
【０００５】
本発明は、このような課題に着目してなされたもので、患者が治療説明を把握しやすく、各保険組合からの照会に対して患者自身が正確に回答することができ、保険金の不正請求を防ぐことができる接骨院用治療説明シート、接骨院用治療説明シート作成システム、接骨院用治療説明シート作成プログラムおよびそのプログラムを記録したコンピュータ読み取り可能な記録媒体を提供することを目的としている。
【課題を解決するための手段】
【０００６】
本発明に係る接骨院用治療説明シートは、ケガをした患者に、前記ケガに対する治療に関する説明を記載して手渡すための接骨院用治療説明シートであって、患者情報を表示する患者情報表示欄と、人体を模した絵柄により、前記ケガの位置を表示可能に設けられた痛む場所表示欄と、前記ケガの位置ごとに、痛めたときの状況と痛みの内容と治療指導の内容とを表示可能に設けられた痛みの説明表示欄と、前記ケガに対して実施した治療の内容とその説明とを表示可能に設けられた治療説明表示欄と、前記ケガの治療に使用した医療機器の説明を表示可能に設けられた医療機器説明表示欄と、他の情報を表示可能に設けられたフリー表示欄とを、有することを特徴とする。
【０００７】
本発明に係る接骨院用治療説明シートは、ケガの位置やケガによる痛みに関する説明、ケガに対する治療指導の内容、ケガに対して実施した治療の内容とその説明、ケガの治療に使用した医療機器の説明を、わかりやすく表示することができる。このため、本発明に係る接骨院用治療説明シートを患者に手渡して説明することにより、患者が治療説明や治療指導の内容等を把握しやすい。また、各保険組合からの照会に対しても、本発明に係る接骨院用治療説明シートを見ながら、患者自身が正確に回答することができる。また、本発明に係る接骨院用治療説明シートを保存しておくことにより、患者のケガや治療の履歴を容易に把握することができる。
【０００８】
本発明に係る接骨院用治療説明シートは、患者のケガや治療の記録を残すことができるため、保険金の不正請求が発覚しやすく、保険金の不正請求を防ぐことができる。このため、本発明に係る接骨院用治療説明シートを導入することにより、不正請求をしていないクリーンな接骨院であることをアピールすることができる。本発明に係る接骨院用治療説明シートは、患者に署名してもらうことにより、治療証拠として保存し利用することができる。また、フリー表示欄を利用することにより、院内のイベントや健康情報、スポーツ種目毎の運動メニューや食事メニューなどを提供することもできる。
【０００９】
本発明に係る接骨院用治療説明シート作成システムは、本発明に係る接骨院用治療説明シートを作成するための接骨院用治療説明シート作成システムであって、前記患者から聞き取った前記患者情報と前記ケガの位置と前記痛めたときの状況と前記痛みの内容とを入力するための聞取入力手段と、前記聞取入力手段で入力した各情報に基づいて、前記ケガに対する治療指導の内容とを入力する診断入力手段と、あらかじめ実施可能な治療の内容およびその説明と、治療に使用する医療機器の説明とを記憶しておく治療記憶手段と、前記聞取入力手段と前記診断入力手段とで入力した各情報に基づいて、前記治療記憶手段に記憶した情報から、前記ケガに対して実施した治療の内容およびその説明と、前記ケガの治療に使用した医療機器の説明とを選択する治療選択手段と、前記他の情報を入力するフリー入力手段と、前記聞取入力手段と前記診断入力手段とフリー入力手段とで入力した各情報、および治療選択手段で選択した各情報を、前記接骨院用治療説明シートの各情報に対応する前記患者情報表示欄、前記痛む場所表示欄、前記痛みの説明表示欄、前記治療説明表示欄、前記医療機器説明表示欄、および前記フリー表示欄に入力した状態で表示する表示手段と、前記表示手段で各情報を表示された前記接骨院用治療説明シートを印刷する印刷手段とを、有することを特徴とする。
【００１０】
本発明に係る接骨院用治療説明シート作成プログラムは、本発明に係る接骨院用治療説明シートを作成するための接骨院用治療説明シート作成プログラムであって、コンピュータを、前記患者から聞き取った前記患者情報と前記ケガの位置と前記痛めたときの状況と前記痛みの内容とを入力するための聞取入力手段、前記聞取入力手段で入力した各情報に基づいて、前記ケガに対する治療指導の内容とを入力する診断入力手段、あらかじめ実施可能な治療の内容およびその説明と、治療に使用する医療機器の説明とを記憶しておく治療記憶手段、前記聞取入力手段と前記診断入力手段とで入力した各情報に基づいて、前記治療記憶手段に記憶した情報から、前記ケガに対して実施した治療の内容およびその説明と、前記ケガの治療に使用した医療機器の説明とを選択する治療選択手段、前記他の情報を入力するフリー入力手段、前記聞取入力手段と前記診断入力手段とフリー入力手段とで入力した各情報、および治療選択手段で選択した各情報を、前記接骨院用治療説明シートの各情報に対応する前記患者情報表示欄、前記痛む場所表示欄、前記痛みの説明表示欄、前記治療説明表示欄、前記医療機器説明表示欄、および前記フリー表示欄に入力した状態で表示する表示手段、前記表示手段で各情報を表示された前記接骨院用治療説明シートを印刷する印刷手段、として機能させることを特徴とする。
【００１１】
本発明に係る接骨院用治療説明シート作成プログラムを記録したコンピュータ読み取り可能な記録媒体は、本発明に係る接骨院用治療説明シートを作成するための接骨院用治療説明シート作成プログラムを記録したコンピュータ読み取り可能な記録媒体であって、コンピュータを、前記患者から聞き取った前記患者情報と前記ケガの位置と前記痛めたときの状況と前記痛みの内容とを入力するための聞取入力手段、前記聞取入力手段で入力した各情報に基づいて、前記ケガに対する治療指導の内容とを入力する診断入力手段、あらかじめ実施可能な治療の内容およびその説明と、治療に使用する医療機器の説明とを記憶しておく治療記憶手段、前記聞取入力手段と前記診断入力手段とで入力した各情報に基づいて、前記治療記憶手段に記憶した情報から、前記ケガに対して実施した治療の内容およびその説明と、前記ケガの治療に使用した医療機器の説明とを選択する治療選択手段、前記他の情報を入力するフリー入力手段、前記聞取入力手段と前記診断入力手段とフリー入力手段とで入力した各情報、および治療選択手段で選択した各情報を、前記接骨院用治療説明シートの各情報に対応する前記患者情報表示欄、前記痛む場所表示欄、前記痛みの説明表示欄、前記治療説明表示欄、前記医療機器説明表示欄、および前記フリー表示欄に入力した状態で表示する表示手段、前記表示手段で各情報を表示された前記接骨院用治療説明シートを印刷する印刷手段、として機能させることを特徴とする。
【００１２】
本発明に係る接骨院用治療説明シート作成システム、接骨院用治療説明シート作成プログラムおよびそのプログラムを記録したコンピュータ読み取り可能な記録媒体は、本発明に係る接骨院用治療説明シートを作成することができる。本発明に係る接骨院用治療説明シート作成プログラムを記録したコンピュータ読み取り可能な記録媒体は、ＣＤ−ＲＯＭやＤＶＤ−ＲＯＭ、ハードディスクなどのコンピュータ読み取り可能な記憶媒体に記憶された形態で提供されてもよい。本発明に係る接骨院用治療説明シート作成プログラムは、これを記録したコンピュータ読み取り可能な記録媒体で提供されてもよく、インターネットなどの通信回線を利用して提供されてもよい。
【発明の効果】
【００１３】
本発明によれば、患者が治療説明を把握しやすく、各保険組合からの照会に対して患者自身が正確に回答することができ、保険金の不正請求を防ぐことができる接骨院用治療説明シート、接骨院用治療説明シート作成システム、接骨院用治療説明シート作成プログラムおよびそのプログラムを記録したコンピュータ読み取り可能な記録媒体を提供することができる。
【図面の簡単な説明】
【００１４】
【図１】本発明の実施の形態の接骨院用治療説明シートの第１ページを示す説明図である。
【図２】本発明の実施の形態の接骨院用治療説明シートの第２ページを示す説明図である。
【図３】本発明の実施の形態の接骨院用治療説明シート作成システムにより印刷される、治療日ごとの治療内容の表示シートを示す説明図である。
【発明を実施するための形態】
【００１５】
以下、図面に基づき、本発明の実施の形態について説明する。
図１乃至図３は、本発明の実施の形態の接骨院用治療説明シートを示している。
図１および図２に示すように、接骨院用治療説明シート１０は、ケガをした患者に、ケガに対する治療に関する説明を記載して手渡すためのものである。接骨院用治療説明シート１０は、患者情報表示欄１１と痛む場所表示欄１２と痛みの説明表示欄１３と治療説明表示欄１４と医療機器説明表示欄１５とフリー表示欄１６とを有している。
【００１６】
患者情報表示欄１１は、患者の名前、住所、電話番号、生年月日、年令、性別、職業、保険種類、初診日、怪我日、治療経過、医療機関受診について、ケガや病気について、他の医療機関について、女性の方の妊娠についてなどの患者情報を表示可能になっている。痛む場所表示欄１２は、人体を模した絵柄中に、ケガの位置を表示可能になっている。
【００１７】
痛みの説明表示欄１３は、痛めた日、痛めた場所、何をして痛めたか、どのようにして痛めたのかなどの痛めたときの状況と、痛みの種類、疼痛、熱感、腫脹、可動域などの痛みの内容と、完治目安、治療回数の目安、完治日などの治療指導の内容とを、ケガの位置ごとに表示可能になっている。また、受傷期間として、急性、亜急性、慢性（保険外）の区別も、明確に表示可能になっている。
【００１８】
治療説明表示欄１４は、アイシング（腫れを抑える）、ホット（血流をよくする）、ウォーター（全身をほぐす）、超音波（温熱効果と音圧効果で血流をよくする）、ハイボルテージ（痛みの原因をピンポイントで麻痺）、マイクロカレント（痛めた細胞を修復）、筋肉をほぐす＋矯正含、ストレッチ（筋肉を伸ばす）、牽引（背骨を伸ばす）、運動療法（筋肉強化）、鍼灸（ポイントで血流改善）などの、ケガに対して実施した治療の内容とその説明とを表示可能になっている。医療機器説明表示欄１５は、低周波、はり通電、干渉波などの、ケガの治療に使用した医療機器の説明を表示可能になっている。フリー表示欄１６は、季節毎の健康情報、スポーツ選手の食事と栄養基礎知識、今月のイベントなどの情報を表示可能になっている。
【００１９】
接骨院用治療説明シート１０は、本発明の実施の形態の接骨院用治療説明シート作成システム、接骨院用治療説明シート作成プログラムまたはそのプログラムを記録したコンピュータ読み取り可能な記録媒体により作成される。本発明の実施の形態の接骨院用治療説明シート作成システムは、本発明の実施の形態の接骨院用治療説明シート作成プログラムを実行するためのコンピュータとその周辺機器とで構成されている。なお、本発明の実施の形態の接骨院用治療説明シート作成プログラムは、これを記録したコンピュータ読み取り可能な記録媒体で提供されてもよく、インターネットなどの通信回線を利用して提供されてもよい。また、本発明の実施の形態の接骨院用治療説明シート作成プログラムを記録したコンピュータ読み取り可能な記録媒体は、例えば、ＣＤ（ＣＤ−ＲＯＭ、ＣＤ−Ｒ、ＣＤ−ＲＷなど）、ＤＶＤ（ＤＶＤ−ＲＯＭ、ＤＶＤ−ＲＡＭ、ＤＶＤ−Ｒ、ＤＶＤ−ＲＷ、ＤＶＤ＋Ｒ、ＤＶＤ＋ＲＷなど）等のコンピュータ読み取り可能な記憶媒体に記憶された形態で提供される。
【００２０】
本発明の実施の形態の接骨院用治療説明シート作成システムは、聞取入力手段と診断入力手段と治療記憶手段と治療選択手段とフリー入力手段と表示手段と印刷手段とを有している。聞取入力手段、診断入力手段、治療選択手段およびフリー入力手段は、キーボードやマウスなどの装置から成っており、ディスプレイやモニタ等を見ながら直接文字を入力したり、複数の選択肢の中から選択して入力したりするよう構成されている。
【００２１】
聞取入力手段は、患者から聞き取った氏名や住所などの患者情報と、ケガの位置と、痛めた日や場所、原因などの痛めたときの状況と痛みの内容とを入力するよう構成されている。診断入力手段は、聞取入力手段で入力した各情報に基づいて診察や診断を行い、その結果から、ケガに対する治療指導の内容とを入力するよう構成されている。治療記憶手段は、コンピュータに内蔵されたメモリから成っており、あらかじめ実施可能な治療の内容およびその説明と、治療に使用する医療機器の説明とを記憶しておくようになっている。
【００２２】
治療選択手段は、聞取入力手段と診断入力手段とで入力した各情報に基づいて、治療記憶手段に記憶した情報から、ケガに対して実施した治療の内容およびその説明と、ケガの治療に使用した医療機器の説明とを選択して入力するよう構成されている。また、治療記憶手段に記憶した情報の中に該当する項目がない場合には、直接文字で入力可能になっている。フリー入力手段は、院内のイベントや健康情報、スポーツ種目毎の運動メニューや食事メニューなどの様々な情報を入力するよう構成されている。
【００２３】
表示手段は、ディスプレイやモニタから成っており、聞取入力手段と診断入力手段とフリー入力手段とで入力した各情報、および治療選択手段で選択した各情報を、接骨院用治療説明シート１０の各情報に対応する患者情報表示欄１１、痛む場所表示欄１２、痛みの説明表示欄１３、治療説明表示欄１４、医療機器説明表示欄１５、およびフリー表示欄１６に入力した状態で表示するよう構成されている。印刷手段は、プリンタから成っており、表示手段で各情報を表示された接骨院用治療説明シート１０を印刷するよう構成されている。こうして、接骨院用治療説明シート１０が作成される。
【００２４】
接骨院用治療説明シート１０は、ケガの位置やケガによる痛みに関する説明、ケガに対する治療指導の内容、ケガに対して実施した治療の内容とその説明、ケガの治療に使用した医療機器の説明を、わかりやすく表示することができる。このため、接骨院用治療説明シート１０を患者に手渡して説明することにより、患者が治療説明や治療指導の内容等を把握しやすい。また、各保険組合からの照会に対しても、接骨院用治療説明シート１０を見ながら、患者自身が正確に回答することができる。また、接骨院用治療説明シート１０を保存しておくことにより、患者のケガや治療の履歴を容易に把握することができる。
【００２５】
接骨院用治療説明シート１０は、患者のケガや治療の記録を残すことができるため、保険金の不正請求が発覚しやすく、保険金の不正請求を防ぐことができる。このため、接骨院用治療説明シート１０を導入することにより、不正請求をしていないクリーンな接骨院であることをアピールすることができる。接骨院用治療説明シート１０は、患者に署名してもらうことにより、治療証拠として保存し利用することができる。また、フリー表示欄１８を利用することにより、院内のイベントや健康情報、スポーツ種目毎の運動メニューや食事メニューなどを提供することもできる。
【００２６】
なお、図３に示すように、本発明の実施の形態の接骨院用治療説明シート作成システムは、治療日ごとに、人体を模した絵柄により、治療した位置と治療内容とを表示手段により表示可能であってもよい。また、その表示を印刷手段により印刷可能であってもよい。
【符号の説明】
【００２７】
１０  接骨院用治療説明シート
１１  患者情報表示欄
１２  痛む場所表示欄
１３  痛みの説明表示欄
１４  治療説明表示欄
１５  医療機器説明表示欄
１６  フリー表示欄
【図１】
2014153988.tif 000003
【図２】
2014153988.tif 000004
【図３】
2014153988.tif 000005